(57)【要約】【課題】液体洗剤容器を洗浄具に噴出は、両手を使い非常に面倒臭かったまた、片手できるものあったが上に突出した本体が邪魔になるし、支持手段、ポンプ機構も設けているため非常に複雑化していた値段も高くなる傾向にあった。【解決手段】液体洗剤供給装置１００の上面に有する掴持部２で該液体洗剤供給装置１００は蛇口８の水管８ａに挿着され、また、充填容器１の充填容器下面１ｄにキャップ４ｄと発條６から構成され押動部４を有し該押動部４のキャップ４ｄを把持した洗浄具９で押動することで充填容器１内に充填してある液体洗剤１３は、噴出孔１ａから洗浄具９に噴出し食器等を洗う。【選択図】  図３
2004350711.tif 000002
【特許請求の範囲】
【請求項１】
液体洗剤を充填可能にした適宜容量を形成し且つ、可撓性からなる充填容器の充填容器上面に、蛇口の水管に挿入開口部から押圧し保持可能にする掴持部を有し更に、液体洗剤を噴出するために洗浄具で押動する押動部を充填容器の充填容器下面に具備したことで、該洗浄具上に液体洗剤を噴出可能にしてなる位置に噴射孔を形成したことを特徴とする液体洗剤供給装置。
【請求項２】
請求項１の液体洗剤供給装置において充填容器の代えて基体の開口部と、可撓性に富む噴出孔を有する底蓋体の突縁部に液体洗剤が、漏洩なく嵌入密着してなることを特徴とした液体洗剤供給装置。
【請求項３】
可撓性を有する素材からなる収縮自在の蛇腹容器の蛇腹体上面に蛇口の水管に掴持部の挿入開口部から押圧することで、保持可能とされる掴持部を有し更に、蛇腹体下面に液体洗剤を充填可能する形成する注入孔に挿着蓋体が漏洩なく挿着し更に、洗浄具で蛇腹容器の蛇腹体下面を押動し液体洗剤が該洗浄具上に、噴出可能な位置に噴出孔を形成してなることを特徴とした液体洗剤供給装置。
【請求項４】
前記掴持部で水管に挿着可能な幅の挿入開口部を形成し中空筒形をした掴持基体の内周面にゴム系からなる掴持弾性体を有してなることを特徴とする請求項１から３のいずれかに記載した液体洗剤供給装置。
【発明の詳細な説明】
【０００１】
【産業上の利用分野】本発明は、台所、手洗い所に使用する蛇口の水管に具備することで、構造が簡単で従来のような複雑なポンプ機構も必要なく、安価でしかも従来のように洗剤容器を取らなくてもよく、洗浄具を持った片手で液体洗剤を噴出可能にした非常に便利な液体洗剤供給装置に関する。
【０００２】
【従来の技術】従来は、腰を曲げ手を伸ばし棚の上に載置してある液体洗剤を取り、且つ、片手で洗浄具を把持し、もう片方の手で液体洗剤が封入された液体洗剤容器を把持し押圧することで、両手を使い洗浄具に液体洗剤を噴出し食器類をこすり洗いをしていた。また、作業場の手洗所では、機械仕事の作業が終了した後に油で汚れた手で、液体洗剤容器を把持し押圧することで液体洗剤容器に汚れた油が付着していて見た目も悪かった。
【０００３】また、特開平１１−１８９８６号に開示された液体洗剤供給器は、容器本体と吸盤の間に介設する支柱で構成され、該吸盤で台所のシンクの側壁に備え且つ、液体洗剤の噴出方法は、ポンプ機構により駆動レバーを操作することで、液体洗剤が噴出ノズルからスポンジや布性から成る洗浄具に噴出していた。
【０００４】
【発明が解決しようとする課題】ところが、従来のように片方の手に洗浄具を持ち、もう片方の手で液体洗剤の液体洗剤容器を把持し洗浄具に噴出するだけで両手を使用し、また、洗浄するため手を伸ばしながらわざわざ液体洗剤容器を取らなければならなかった。
【０００５】また、特開平１１−１８９８６号より開示された製品は、今までの従来品と異なる点が存在するが、それは、片手で洗浄具に液体洗剤を噴出するものですが、液体洗剤の噴出方法としては、ポンプ機構を有しその構造からしてポンプ機構はだいぶ複雑化し逆止便や蛇腹体、駆動レバー、その他の構成部品で構成されたことで、構造が複雑化となり更に、構成部品等の数が多くなり価格等に跳ね返り値段が高くなる。そして、本体の従来から存在する吸盤で吸着する固定方法では、例えば、台所では結局のところシンク側壁に吸着しかなく、ここに吸着固定した場合液体洗剤を噴出させる駆動レバーの先端は、下方に突設している構造なので該駆動レバーとシンク底面の間に、洗浄具を把持した手を入れ、駆動レバーを上方に押さなければ成らないので、手を伸す格好になり非常に使いずらい、また、シンク側壁に吸着固定すると液体洗剤供給器の上部は、上方向に突設しているのでシンク上は、殆どの人達が調理中この領域を使用しているので、雪だるまを形成した液体洗剤供給器は、突出しているので鍋等を引っ掛け調理中の邪魔になる可能性も生じ、台所の使い勝手が非常に悪くなる。また、市販されている液体洗剤供給器を使用するとき、貯留容器に更に液体洗剤供給器を倒立状態にし、挿入するので上方に突出した状態となり調理中の邪魔になる可能性が生じる。
【０００６】本発明は上記した従来の問題点を鑑みてなされたものであって、洗剤容器に触れることなく片手で噴出させ更に、台所の使い勝手の良くする為、蛇口の水管の噴出口に液体洗剤供給装置を近設に有することで、シンクより上方に噴出孔が位置し手を伸ばさなくて済み、非常にやり易くまた、液体洗剤を洗浄具に噴出し特別なポンプ機構を設けて無いため、構造が非常に簡単で、安価に仕上げることが可能になる液体洗剤供給装置の提供を目的とした。
【０００７】
【発明が解決するための手段】本発明は前記課題を考慮してなされたもので、
液体洗剤を充填可能にした適宜容量を形成し且つ、可撓性からなる充填容器の充填容器上面に、蛇口の水管に挿入開口部から押圧し保持可能にする掴持部を有し更に、充填容器の充填容器下面を把持した洗浄具で押動する押動部を具備したことで、該洗浄具上に液体洗剤を噴出可能にして成る位置に、噴射孔を形成したことを特徴する。また、液体洗剤供給装置において充填容器の代えて基体の開口部と、可撓性を有する素材からなる収縮自在の蛇腹容器の蛇腹体上面に蛇口の水管に、掴持部の挿入開口部から押圧することで、保持可能とされる掴持部を有し更に、蛇腹体下面に液体洗剤を充填可能する形成する注入孔に挿着蓋体が漏洩なく係止挿着し更に、洗浄具で蛇腹容器の蛇腹体下面を押動し液体洗剤が該洗浄具上に噴出可能な位置に噴出孔を形成して成り、そして、水管に挿着可能な幅の挿入開口部を形成し中空筒形をした掴持基体の内周面に、ゴム系からなる掴持弾性体を有して成ることを特徴とする。
【０００８】
【発明の実施の形態】以下、本発明を図１から図１１に示す実施の形態について詳細に説明する。まず、図１より液体洗剤供給装置１００を示した斜視図で、充填容器１、掴持部２、押動部４から構成する。まず、掴持部２は、可撓性を有する金属叉は、樹脂のどちらでも可能な掴持基体２ｄと掴持弾性体２ａから構成する。次に、中空の筒状形をした掴持基体２ｄ、水管８ａ（図３を参照）の直径より小さい幅で且つ、該水管８ａに押圧し挿入可能な幅で形成される挿入開口部２ｂを有し更に、内周面には、ゴム系から成る掴持弾性体２ａの内周面に接着固定した後に、挿入開口部２ｂの対向位置に水管８ａの下方に調理中に邪魔にならないように適宜容量の充填容器１を形成し更に、方状形を有してなる充填容器１の充填容器上面１ｅに樹脂を溶融し樹脂接着で掴持部２が固着するか叉は、一体成型でも可能である。また、充填容器１の形状は、これに限ったことではなく、他の形状でも可能である。素材は、可撓性から成るポリエチレンか叉は、ホリプロピレンが望ましいがこの限りではなく、その他の可撓性を有する樹脂でも成型可能である。
【０００９】図２依り前記の液体洗剤供給装置１００の断面図より液体洗剤１３を噴出するためにの説明する。まず、押動部は、充填容器下面１ｄの中央部に突設部１ｃが有し、樹脂等から成るキャップ４ｄの内周底面に水が滴下できるように、複数の滴下孔４ｃを形成し且つ、突設部４ｂを有したことに依り発條６は、各々の突設部１ｃ、４ｂに圧入し固着され押動部４を有するがこの限りではなく発條６の両端を溶融接着し固着する方法も存在する。次に、押動部４を洗浄具９（図指示無し以下省略）で押動することで液体洗剤１３が洗浄具９に噴出する位置に噴出孔１ａが形成し更に、充填容器１の充填容器下面１ｄに液体洗剤１３を充填する注入孔１ｂが形成することで、液体洗剤１３が漏洩なく該注入孔１ｂに注入蓋体７で密着し充填可能にしている。
【００１０】また、図２より実際に液体洗剤１３の噴出の説明する。まず、押動部４のキャップ４ｄに洗浄具９を介して、矢印方向Ｂに手で押動することで発條６は、徐々に撓みながら圧縮されると同時に該発條６を介して充填容器下面１ｄこのまま押し続けると、破線で示すキャップ４ｈの状態となり該キャップ４ｈの周縁部４ａが充填容器下面１ｄに当接し更に、破線で示した充填容器下面１ｇのように撓みによる変形で内部空間部１ｆの圧力が高くなり、液体洗剤１３の上面に加圧され噴出孔１ａから噴出する。次に、液体洗剤１３を噴出した後、押動部４から手の力を解放すると充填容器下面１ｄの弾性力に依り、元に戻ろうとする復元力で内部空間部１ｆは、負圧となり噴出孔１ａから逆に、大気の空気が流入し元の充填容器下面１ｄの位置に戻り、液体洗剤１３を次の噴出に備える。
【００１１】ここで、何故、押動部４に発條６を介在するかは、例えば直接手で充填容器下面１ｄの面を直接に押動すると撓みが少ない為に、押動している感覚がないので液体洗剤１３が噴出する際は、非常に違和感が感じる。その為、発條６を介在することで該発條６の撓み生じ、その分、キャップ４ｄが移動するため手で押している感覚となり、液体洗剤１３が違和感なく液体洗剤１３を噴出可能にする為である。
【００１２】次に、図３より液体洗剤供給装置１００を蛇口８の水管８ａに挿着する説明をする。まず、液体洗剤供給装置１００の掴持部２の挿入開口部２ｂから水管８ａに押圧すると弾性変形し水管８ａに挿着でき掴持部２の掴持力と掴持弾性体２ａの摩擦力に依り、手で液体洗剤供給装置１００に軽く衝撃力では、不必要に動くことなく安定的に配置する掴持力となる。
【００１３】図４より液体洗剤供給装置１００の充填容器１の注入孔１ｂから市販されている液体洗剤１３（図支持無し以後省略）を充填する仕方を説明する。まず、液体洗剤供給装置１００は、蛇口８の水管８ａを中心に掴持部２を介して反転し掴持部２の掴持力で液体洗剤供給装置１００が倒立状態で保持されているので、この間に充填容器１の充填容器下面１ｄの注入孔１ｂに密着してある注入蓋体７を、脱着し該注入孔１ｂから液体洗剤１３を充填した後に、再び注入蓋体７で液体洗剤１３が漏洩なく密着し終了する。
【００１４】そして、図５より前記で液体洗剤１３を充填した後にまた、反転した液体洗剤供給装置１００から実際の使用例をする。まず、洗浄具９をどちらか一方の手に把持し、押動部４のキャップ４ｄを洗浄具９で矢印方向Ｂに押動するこにより液体洗剤１３は、噴出孔１ａから洗浄具９に噴出し食器等を洗う。また、食器等を洗う際に、蛇口８の水管８ａの噴出口８ｂから水Ａを流出すので、僅かに飛散るためキャップ４ｄの開口部から水Ａが入り込むが、複数の滴下孔４ｃから滴下する。次に、図６依り普段使用していないときの図のように、蛇口８の水管８ａを回動することで液体洗剤供給装置１００は、更に邪魔にならないようにする。
【００１５】次に、図７の断面図より前記までの充填容器１の変わりに電子レンジ等で使用するタッパ（食材等を入れる容器）の形状をした液体洗剤供給装置２００の説明する。まず、基体１０、底蓋体１１、掴持部２、押動部４から構成し適宜内部容積を形成する基体１０と掴持部２の素材は、可撓性を有する金属か叉は、ポリエチレンから成り接着で固定しても可能であるが掴持部２と基体１０の一体成型でも可能で、且つ、底蓋体１１は、ポリプロピレンの素材を使用するがこの限りではなく、可撓性を有する樹脂なら成型可能である。また、底蓋体１１は、前記同様の掴持部２を有し、該底蓋体１１の中央に前記同様の押動部４を有し更に、洗浄具９で押動し液体洗剤が該洗浄具９に噴出する位置に、噴出孔１１ａも形成して成り、基体１０の液体洗剤１３を充填する基体開口部１０ａに、突縁する突縁部１１ｂを有する底蓋体１１と基体１０から漏洩なく嵌入密着する構造となる。
【００１６】また、図７より実際に液体洗剤１３の噴出の説明する。まず、押動部４のキャップ４ｄに洗浄具９（図指示無し以後省略）を介して、矢印方向Ｂに手で押動することで発條６は、徐々に撓みながら圧縮されると同時に該発條６を介して底蓋体１１をこのまま押し続けると、破線で示すキャップ４ｈの状態となり該キャップ４ｈの周縁部４ａが充填容器下面１ｄに当接し更に、破線で示した底蓋体１１ｃのように撓みによる変形で内部空間部１ｆの圧力が高くなり、液体洗剤１３の上面に加圧され噴出孔１ａから噴出する。次に、液体洗剤１３を  噴出した後、押動部４から手の力を解放すると底蓋体１１ｃの弾性力に依り、元に戻ろうとする復元力で内部空間部１ｆは、負圧となり噴出孔１ａから逆に、大気の空気が流入し元の底蓋体１１の位置に戻り、液体洗剤１３を次の噴出に備える。
【００１７】また、図８（ａ）より前記の蛇口８の水管８ａを中心に掴持部２を介して反転し掴持部２の掴持力で液体洗剤供給装置２００が倒立状態で保持され基体開口部１０ａから液体洗剤１３を充填した後に、基体１０の基体開口部１０ａに底蓋体１１で漏洩なく嵌入密着する。次に、図８（ｂ）より液体洗剤供給装置２００の実際の使用例をする。また、反転した液体洗剤供給装置２００の押動部４のキャップ４ｄを、洗浄具９で矢印方向Ｂに押動することで、液体洗剤１３が噴出孔１１ａから洗浄具９に噴出する。
【００１８】図９より蛇腹を使用した液体洗剤供給装置３００の断面図より別方法の説明をする。まず、掴持部２、蛇腹容器３、挿着蓋体１４、噴出孔１４ｂから構成し蛇腹容器３の蛇腹体上面３ｂに樹脂を溶融し樹脂接着で前記同様の掴持部２が固着するか、叉は、掴持部２と蛇腹容器３は、一体成型でも可能である。更に、噴出孔１４ｂの形成する場所は、手に把持した洗浄具９（図指示無し以後省略）で蛇腹容器３を押動し液体洗剤１３が洗浄具９に噴出可能な位置に形成し、例えば、挿着蓋体１４の底面に噴出孔１４ｂを形成するか、または、蛇腹体下面３ｂ上に噴出孔１４ｂを形成しても可能である。次に、蛇腹容器３の蛇腹体下面３ｃから延設する突設部３ｄの開口部に液体洗剤１３が充填する注入孔３ａが形成し、更に、該突設部３ｄに係合する噴出孔１４ｂを形成した挿着蓋体１４が漏洩なく密着する。また、図指示はしてないが別方法の密着の仕方としては、蛇腹容器３の蛇腹体下面３ｃに突設部３ｄを形成し、挿着蓋体１４で密着可能に螺着固定するか。叉は、蛇腹容器３の蛇腹体下面３ｃ上に注入孔３ａを形成しそこに、挿着蓋体１４を挿入し嵌着することで液体洗剤は漏洩なく密着する方法もある。また、蛇腹容器３は、筒状形に限ったことではなく、伸縮自在を有する形状ならどんな形状でも可能である。素材は、可撓性から成るポリエチレンか叉は、ホリプロピレンが望ましいがこの限りではなく、その他の樹脂でも成型可能である。
【００１９】また、図９より実際に液体洗剤１３の噴出の説明する。まず、挿着蓋体１４に洗浄具９を介して手で、矢印方向Ｂに挿着蓋体１４を押動し蛇腹容器３は、収縮自在なため破線で示した挿着蓋体１４ａの位置に移動する過程で蛇腹容器３の内部空間部３ｅの圧力が徐々に高くなり液体洗剤１３の上面に加圧され噴出孔１４ｂから噴出する。次に、液体洗剤１３を噴出した後、挿着蓋体１４ａから手を離すと、蛇腹容器３が元の形状に戻ろうとする復元力と液体洗剤の自重により依り、噴出孔４ｄから逆に大気の空気が流入し、元の挿着蓋体１４の位置に戻ることで液体洗剤１３を次に噴出に備える。
【００２０】次に、図１０（ａ）より前記の蛇口８の水管８ａを中心に掴持部２を介して反転し掴持部２の掴持力で液体洗剤供給装置３００が倒立状態で保持され注入孔３ａから液体洗剤１３を充填した後に、蛇腹体３の注入孔３ａに挿着蓋体１４で漏洩なく嵌入密着する。次に、図１０（ｂ）より液体洗剤供給装置３００の実際の使用例をする。また、反転した液体洗剤供給装置３００の挿着蓋体１４を洗浄具９で矢印方向Ｂに押動することで、該挿着蓋体１４から蛇腹体３を押し上げられ、液体洗剤１３が噴出孔１４ｂから洗浄具９に噴出する。
【００２１】図１１の液体洗剤供給装置４００より充填容器１内に前記同様の作用をする蛇口８の水管８ａに挿着可能な掴持部１２ａを形成した別方法も存在する。
【００２２】
【発明の効果】以上述べたように本発明に係る液体洗剤供給装置に依れば、コンパクトに纏め上げた液体洗剤容器を蛇口の水管の下側に、反転させることで調理中に邪魔にならない場所に挿着され、また、水管の噴出口の近傍に液体洗剤供給装置が配設されるので、今までもように身体を曲げ手を伸ばすようにする必要はなく楽な姿勢となるので腰の負担が長い期間を考えた場合に大分軽減されまた、複雑なポンプ機構がなく充填容器で外部の力で変形し、内部容積が変形よる内部圧力の変化で液体洗剤を噴出孔から洗浄具に噴出する非常に便利で且つ、簡単構造であるため安価に提供できる。
【図面の簡単な説明】
【図１】液体洗剤供給装置の斜視図である。
【図２】液体洗剤供給装置の断面図である。
【図３】蛇口の水管に液体洗剤供給装置に挿着した斜視図である。
【図４】蛇口の水管に液体洗剤供給装置を反転した斜視図である。
【図５】液体洗剤供給装置の実際の使用例を示した正面図である。
【図６】終了後、蛇口の水管を曲げた状態の液体洗剤供給装置の斜視図である。
【図７】別な液体洗剤供給装置の断面図である。
【図８】（ａ）底蓋体と基体が脱着状態にある斜視図である。
（ｂ）充填容器で実際の使用例を示した液体洗剤供給装置の斜視図である。
【図９】蛇腹を有する液体洗剤供給装置の断面図である。
【図１０】（ａ）挿着蓋体と蛇腹体から脱着状態にある斜視図である。
（ｂ）充填容器で実際の使用例を示した液体洗剤供給装置の斜視図である。
【図１１】充填容器内に掴持部を形成した液体洗剤供給装置の斜視図である。
【符号の説明】
１  充填容器
１ａ  噴出孔
１ｂ  注入孔
１ｃ  突設部
１ｄ  充填容器下面（押動する前の位置）
１ｅ  充填容器上面
１ｆ、３ｅ、１０ｆ  内部空間部
１ｇ  充填容器下面（押動した後の位置）
２  掴持部
２ａ  掴持弾性体
２ｂ  挿入開口部
２ｃ  掴持空間部
２ｄ  掴持基体
３  蛇腹体
３ａ  注入孔
３ｂ  蛇腹体上面
３ｃ  蛇腹体下面
３ｄ  突設部
４  押動部
４ａ  周縁部
４ｂ  突設部
４ｃ  滴下孔
４ｄ  キャップ（押動する前の位置）
４ｆ  噴出孔
４ｈ  キャップ（押動した後の位置）
６  弾性体
７  注入蓋体
８  蛇口
８ａ  水管
８ｂ  噴出口
９  洗浄具
１０  基体
１０ａ  基体開口部
１１  底蓋体（押動する前の位置）
１１ａ  噴出孔
１１ｂ  突縁部
１１ｃ  底蓋体（押動した後の位置）
１２  充填容器
１２ａ  掴持部
１３  液体洗剤
１４  挿着蓋体（押動する前の位置）
１４ａ  挿着蓋体（押動した後の位置）
１４ｂ  噴出孔
１００、２００、３００、４００  液体洗剤供給装置
Ａ  水
Ｂ  矢印方向
【図１】
2004350711.tif 000003
【図２】
2004350711.tif 000004
【図３】
2004350711.tif 000005
【図４】
2004350711.tif 000006
【図５】
2004350711.tif 000007
【図６】
2004350711.tif 000008
【図７】
2004350711.tif 000009
【図８】
2004350711.tif 000010
【図９】
2004350711.tif 000011
【図１０】
2004350711.tif 000012
【図１１】
2004350711.tif 000013